(57)【要約】      （修正有）【課題】乗車予約者の個人情報を保護しつつ、自律的な乗り合いを促進することができる自動車運行管理システム及びその運行管理装置を提供する。【解決手段】自動車運行管理システム１において、管理サイト２と、ユーザ端末９とが備えられる。管理サイト２が、同一の車両についての乗車予約が行われる度に、乗車予約者に予め設定された識別表示のうち、その乗車予約者の個人情報に関係せず且つ少なくともその乗車予約者により自己の特定に係るものとして認識されているものを、予約者状況配信情報として順次、記憶する記憶部２Ａと、ユーザ端末９が管理サイト２に同一車両についての予約者状況の配信を要求したとき、記憶部２Ａに記憶される同一の車両についての予約者状況配信情報だけを配信する演算制御部２Ｂとを備える。ユーザ端末９には、予約者状況配信情報としての識別表示の一覧を表示する表示部９Ｄが備えられている。【選択図】図９
2020052924.tif 000002
【特許請求の範囲】
【請求項１】
複数の乗客枠を有する自動車に対して乗車予約を行うことにより、その乗車予約を行った乗車予約者が、その乗車予約を行った自動車により運送される自動車運行管理システムにおいて、
前記自動車の運行管理を行う運行管理装置と、該運行管理装置に対してアクセス可能とされているユーザ端末と、が備えられ、
前記運行管理装置が、
該運行管理装置に対して同一の自動車についての乗車予約が行われる度に、該乗車予約を行う乗車予約者に予め設定された識別表示であって、該乗車予約者の個人情報に関係せず且つ少なくとも該乗車予約者により自己の特定に係るものとして認識されているものを、該同一の自動車についての予約者状況配信情報として順次、記憶する記憶部と、
前記ユーザ端末が前記運行管理装置に対して前記同一の自動車についての予約者状況の配信を要求したとき、前記記憶部に記憶される前記同一の自動車についての予約者状況配信情報だけを配信する配信部と、を備え、
前記ユーザ端末には、該ユーザ端末が前記同一の自動車についての予約者状況配信情報の配信を受けたとき、該同一の自動車についての予約者状況配信情報をなす前記識別表示の一覧を表示する表示部が備えられている、
ことを特徴とする自動車運行管理システム。
【請求項２】
請求項１において、
前記乗車予約者が会員登録者でもあり、
前記乗車予約者に予め設定された識別表示が、前記会員登録者に設定された識別表示であり、
前記運行管理装置の記憶部が、前記会員登録者に関する会員情報と共に、該各会員登録者に設定された識別表示を、記憶するようにされ、
前記運行管理装置には、該運行管理装置に前記同一の自動車についての乗車予約情報が入力される毎に、該乗車予約情報に係る会員登録者の前記識別表示を前記記憶部の記憶情報から引き出して、該識別表示を、前記同一の自動車についての予約者状況配信情報として該記憶部に順次、記憶させる配信情報作成部が設けられている、
ことを特徴とする自動車運行管理システム。
【請求項３】
請求項１又は２において、
前記ユーザ端末の表示部には、該表示部に前記識別表示の一覧が表示されたときに、前記同一の自動車に対する乗車予約を行うための乗車予約表示も表示される、
ことを特徴とする自動車運行管理システム。
【請求項４】
請求項２又は３において、
前記運行管理装置は、入会書面提出に基づく関係者の情報処理装置からの入力手続き又は会員登録希望者によるユーザ端末からの入力手続きにより、会員登録及び該会員登録に基づく会員情報が前記記憶部に記憶するようにされ、
前記運行管理装置が、前記会員登録に伴い、保有する多数の異なる記識別表示の中から一つの識別表示を選択して、その識別表示情報を、該運行管理装置の記憶部に該会員登録に関連付けた状態で記憶すると共に、前記関係者の情報処理装置又は前記ユーザ端末に配信するように設定されている、
ことを特徴とする自動車運行管理システム。
【請求項５】
請求項１〜４のいずれか１項において、
前記識別表示が、図形、記号及び文字の少なくとも一つを含んで構成されている、
ことを特徴とする自動車運行管理システム。
【請求項６】
複数の乗客枠を有する自動車に対して乗車予約を行うことにより、その乗車予約を行った乗車予約者が、その乗車予約を行った自動車をもって運送される自動車運行管理システムに用いられる運行管理装置において、
同一の自動車についての乗車予約を行うための乗車予約情報が入力される度に、該乗車予約を行う乗車予約者に予め設定された識別表示であって、該乗車予約者の個人情報に関係せず且つ少なくとも該乗車予約者により自己の特定に係るものとして認識されているものを、該同一の自動車についての予約者状況配信情報として記憶する記憶部と、
ユーザ端末が前記同一の自動車についての予約者状況の配信を要求したとき、前記記憶部に記憶される前記同一の自動車についての予約者状況配信情報だけを配信する配信部と、を備えている、
ことを特徴とする自動車運行管理システムに用いられる運行管理装置。
【請求項７】
請求項６において、
前記乗車予約者が会員登録者でもあり、
前記乗車予約者に予め設定された識別表示が、前記会員登録者に設定された識別表示であり、
前記会員登録者に関する会員情報と共に、該各会員登録者に設定された識別表示を、記憶するようにされ、
しかも、前記同一の自動車についての乗車予約情報が入力される毎に、該乗車予約情報に係る会員登録者の前記識別表示を前記記憶部の記憶情報から引き出して、該識別表示を、前記同一の自動車についての予約状況配信情報として該記憶部に順次、記憶させる配信情報作成部が設けられている、
ことを特徴とする自動車運行管理システムに用いられる運行管理装置。
【発明の詳細な説明】
【技術分野】
【０００１】
本発明は、自動車運行管理システム及びその自動車運行管理システムに用いられる運行管理装置に関する。
【背景技術】
【０００２】
自動車運行管理システムには、特許文献１、特許文献２に示すようなものが提案されている。具体的には、特許文献１には、同一の車両によって複数種類の乗車形態での乗車便が提供される輸送サービスに関して、実現可能な乗車便群の部分集合のうち、所定条件を満たす部分集合ごとに、当該部分集合を構成する乗車便の選択確率が算出され、その算出された選択確率に基づいて、乗車便の組み合わせが選択され、選択された組み合わせが利用者に提示されるものが示されている。このものによれば、単に、乗車要求を満たすことが可能な乗車便を列挙する場合に比べて、経済的効果の向上を期待できる選択肢を利用者に提示することができる。特許文献２には、利用者に提示される乗車便の組み合わせの選択に際し、選択確率および将来に受信する乗車要求数の期待値に基づいて、利益の期待値又は効用の期待値が最大化される組み合わせが選択されるものが示されている。これよれば、輸送サービスの提供者の利益、又は利用者の効用の観点において望ましい乗車便の組み合わせを利用者に提示することができる。
【０００３】
ところで、地方では、高齢化、人口減少等、多くの問題を抱えており、交通空白地域においては、交通弱者は、通院や買い物等になくてはならない移動が奪われている。このため、交通空白地域の人々に必要不可欠な交通手段として、自家用自動車による有償運送が着目されている。
【０００４】
この自家用自動車による有償運送は、交通空白地域に、単に、必要不可欠な交通手段を提供するだけでなく、豊かな地域の維持、創造を通じて地域の活性化を図る可能性を秘めており、その有効な活用が望まれている。このような観点から、地域住民の運送に当たり、同一車両内に多くの住民が同乗し、交流を図ることが好ましい。地域内の人と人とのつながりを生むことになり、地域の活性化を図ることができるからである。特に、知り合い関係にある住民同士や、親しい関係にある住民同士が同一車両に同乗すれば、より交流が促進される。このため、運行される車両毎に、その運行に先立ち、その車両の乗車予約者状況を具体的に公開し、乗車予約者との知り合い関係にある住民の自律的な乗り合いを促進することが考えられる。
【先行技術文献】
【特許文献】
【０００５】
【特許文献１】特開２０１４−２３８８３１号公報
【特許文献２】特開２０１６−０８５７３４号公報
【発明の概要】
【発明が解決しようとする課題】
【０００６】
しかし、乗車予約者の中には、運行車両を利用して出かけることを知られたくない者も存在し、上記のように、車両の乗車予約者状況を具体的に公開した場合には、そのような乗車予約者にとっては、運行車両の利用が知られ、その希望に沿えなくなる。また、車両の乗車予約者状況を具体的に公開することは、乗車予約者の自宅が留守になることを公にすることであり、空き巣等の侵入窃盗の発生を招くことになる。
【０００７】
本発明は、上記実情に鑑みてなされたもので、その第１の目的は、乗車予約者の個人情報を保護しつつ、自律的な乗り合いを促進することができる自動車運行管理システムを提供することにある。第２の目的は、その自動車運行管理システムに用いられる運行管理装置を提供することにある。
【課題を解決するための手段】
【０００８】
前記第１の目的を達成するために本発明にあっては、下記（１）〜（５）とした構成とされている。
【０００９】
（１）複数の乗客枠を有する自動車に対して乗車予約を行うことにより、その乗車予約を行った乗車予約者が、その乗車予約を行った自動車により運送される自動車運行管理システムにおいて、
前記自動車の運行管理を行う運行管理装置と、該運行管理装置に対してアクセス可能とされているユーザ端末と、が備えられ、
前記運行管理装置が、
該運行管理装置に対して同一の自動車についての乗車予約が行われる度に、該乗車予約を行う乗車予約者に予め設定された識別表示であって、該乗車予約者の個人情報に関係せず且つ少なくとも該乗車予約者により自己の特定に係るものとして認識されているものを、該同一の自動車についての予約者状況配信情報として順次、記憶する記憶部と、
前記ユーザ端末が前記運行管理装置に対して前記同一の自動車についての予約者状況の配信を要求したとき、前記記憶部に記憶される前記同一の自動車についての予約者状況配信情報だけを配信する配信部と、を備え、
前記ユーザ端末には、該ユーザ端末が前記同一の自動車についての予約者状況配信情報の配信を受けたとき、該同一の自動車についての予約者状況配信情報をなす前記識別表示の一覧を表示する表示部が備えられている構成とされている。
【００１０】
この構成によれば、乗車予約者自身が、自己の特定に係る識別表示について、知り合い関係にある者、親しい関係にある者等（仲間）、不都合な関係にある者以外の者に知らせる傾向にあること、また、仲間から仲間への伝達によって、その識別表示が誰を特定するものであるかが知られる傾向にあることを利用して、ユーザは、ユーザ端末に表示される識別表示の一覧を見ることにより仲間の識別表示の存在を確認したときには、仲間の乗車予定を知ることができる。これにより、その仲間との交流を深めるために同一自動車への自律的な乗り合いが促される。
【００１１】
他方、識別表示が乗車予約者の個人情報に関係しないものであることから、乗車予定者が、基本的に、識別表示が自己を特定するものであることを第三者に話さない限り、その識別表示が誰を特定しているかは誰にも知られない。このため、当該自動車を利用することも、当該自動車を利用することにより自宅を留守にすることも、知られることはない。このため、乗車予約者の個人情報を基本的に保護することができる。
【００１２】
（２）前記（１）の構成の下で、
前記乗車予約者が会員登録者でもあり、
前記運行管理装置の記憶部が、前記会員登録者に関する会員情報と共に、該各会員登録者の個人情報に関係しない識別表示であって少なくとも該会員登録者により自己の特定に係るものと認識されているものを記憶するようにされ、
前記運行管理装置には、該運行管理装置に前記同一の自動車についての乗車予約情報が入力される毎に、該乗車予約情報に係る会員登録者の前記識別表示を前記記憶部の記憶情報から引き出して、該識別表示を、前記同一の自動車についての予約状況配信情報として該記憶部に順次、記憶させる配信情報作成部が設けられている構成とされている。
【００１３】
この構成によれば、会員情報と識別表示とが記憶部に記憶されている状況の下で、会員登録者が乗車予約を行えば、その記憶部に記憶されている会員情報と識別表示とを有効に利用して、乗車予約者情報の入力（会員登録者でもある乗車予約者の特定）に伴い、識別表示だけを、同一の自動車についての予約状況配信情報として記憶部に順次、記憶させることができ、ユーザは、ユーザ端末の表示部を通じて、具体的且つ的確に識別表示の一覧を見ることができる。
【００１４】
（３）前記（１）又は（２）の構成の下で、
前記ユーザ端末の表示部には、該表示部に前記識別表示の一覧が表示されたときに、前記同一の自動車に対する乗車予約を行うための乗車予約表示も表示される構成とされている。
この構成によれば、仲間の存在を示す識別表示が見つけられたときには、同一の自動車において、自律的な乗り合いが誘起されることになり、そのときには、乗車予約表示（選択スイッチ）を用いることにより乗車予約を迅速に行うことができ、同一の自動車への乗り合いの便宜を図ることができる。
【００１５】
（４）前記（２）又は（３）の構成の下で、
前記運行管理装置は、入会書面提出に基づく関係者の情報処理装置からの入力手続き又は会員登録希望者によるユーザ端末からの入力手続きにより、会員登録及び該会員登録に基づく会員情報が前記記憶部に記憶するようにされ、
前記運行管理装置が、前記会員登録に伴い、保有する多数の異なる記識別表示の中から一つの識別表示を選択して、その識別表示情報を、該運行管理装置の記憶部に該会員登録に関連付けた状態で記憶すると共に、前記関係者の情報処理装置又は前記ユーザ端末に配信するように設定されている構成とされている。
【００１６】
この構成によれば、会員登録及びその会員登録に基づく会員情報を記憶部に記憶するに際して、書面の提出を含む種々の手段が利用できるばかりか、その会員登録に伴い、その会員登録者は、何等負担を課されることなく識別表示を得ることができる。
【００１７】
（５）前記（１）〜（４）のいずれかの構成の下で、
前記識別表示が、図形、記号及び文字の少なくとも一つを含んで構成されている構成とされている。
【００１８】
この構成によれば、図形、記号及び文字が、記憶、扱い易さの点で優れている一方、自己の個人情報を想起しにくいことから、当該識別表示として好ましいものを提供できる。
【００１９】
前記第２の目的を達成するために本発明にあっては、下記（６）、（７）とした構成とされている。
【００２０】
（６）複数の乗客枠を有する自動車に対して乗車予約を行うことにより、その乗車予約を行った乗車予約者が、その乗車予約を行った自動車をもって運送される自動車運行管理システムに用いられる運行管理装置において、
同一の自動車についての乗車予約を行うための乗車予約情報が入力される度に、該乗車予約を行う乗車予約者に予め設定された識別表示であって、該乗車予約者の個人情報に関係せず且つ少なくとも該乗車予約者により自己の特定に係るものとして認識されているものを、該同一の自動車についての予約者状況配信情報として記憶する記憶部と、
ユーザ端末が前記同一の自動車についての予約者状況の配信を要求したとき、前記記憶部に記憶される前記同一の自動車についての予約者状況配信情報だけを配信する配信部と、を備えている構成とされている。
【００２１】
この構成によれば、前述の（１）において用いられる運行管理装置として好ましいものを提供できる。
【００２２】
（７）前記（６）の構成の下で、
前記乗車予約者が会員登録者でもあり、
前記乗車予約者に予め設定された識別表示が、前記会員登録者に設定された識別表示であり、
前記会員登録者に関する会員情報と共に、該各会員登録者に設定された識別表示を、記憶するようにされ、
しかも、前記同一の自動車についての乗車予約情報が入力される毎に、該乗車予約情報に係る会員登録者の前記識別表示を前記記憶部の記憶情報から引き出して、該識別表示を、前記同一の自動車についての予約状況配信情報として該記憶部に順次、記憶させる配信情報作成部が設けられている構成とされている。
【００２３】
この構成によれば、前述の（２）において用いられる運行管理装置として好ましいものを提供できる。
【発明の効果】
【００２４】
本発明によれば、乗車予約者の個人情報を保護しつつ、自律的な乗り合いを促進することができる自動車運行管理システム及びその自動車運行管理システムに用いられる運行管理装置を提供できる。
【図面の簡単な説明】
【００２５】
【図１】定時定路運行が行われる路線例を説明する説明図。
【図２】デマンド運行が行われる路線例を説明する説明図。
【図３】実施形態に係る運行管理サービスサイトと関係者等との関係を示す概念図。
【図４】運行管理者端末で表示される管理画面の一つを示す図。
【図５】ユーザ端末に表示される乗車予約申請の内容の下で、乗車予約（送信）を行う状態を示す図。
【図６】ユーザ端末に届く運行車両の到達時刻通知等を示す図。
【図７】ドライバー端末に表示される８月における担当日確認表示を示す図。
【図８】ドライバー端末に届く担当日前日通知を示す図。
【図９】実施形態に係る自動車運行管理システムの機能構成の概略を示すブロック図。
【図１０】管理サイトにおける演算制御部が、管理情報作成部を構成している状態を概念的に示す図。
【図１１】管理用端末に表示される管理情報としての予約者情報と、ユーザ端末に表示される予約者状況配信情報としての識別情報の一覧とを比較して示す図。
【図１２】管理サイトでの新規会員登録を行うための制御例を示すフローチャート。
【図１３】乗車予約申請を行われた場合における管理サイトでの制御例を示すフローチャート。
【図１４】同一車両についての乗車予約者状況の閲覧請求が行われた場合におけるユーザ端末での制御例を示すフローチャート。
【図１５】図１４の続きを示すフローチャート。
【図１６】同一車両についての乗車予約者状況の閲覧請求が行われた場合における運行管理サービスサイトでの制御例を示すフローチャート。
【図１７】図１６の続きを示すフローチャート。
【発明を実施するための形態】
【００２６】
以下、本発明の実施形態について、図面に基づいて説明する。
【００２７】
本実施形態においては、交通空白地域での車両の運行に用いられる自動車運行管理システムを例にとって説明する。
【００２８】
先ず、車両の運行が行われる地域内容、及びその地域で行われる車両運行の基本的内容について、説明する。
【００２９】
図１は、車両運行の一態様である定時定路線運行が行われる路線例を示すものである。図１中、Ｄ１は、片道1車線(往復で２車線）の道路である。この道路Ｄ１は、鉄道路線Ｒにおける所定の駅Ｒａを通るもので、この地域ではメインの道路となっている。駅Ｒａの周辺が、この地域で唯一の繁華街となっており、そこには、役場、学校等の公的施設の他、病院や歯医者等の医療施設、スーパマーケット、コンビニエンスストア、カラオケ店等々の商業施設や娯楽施設が存在している。
【００３０】
道路Ｄ１に対しては、駅Ｒａから離れた位置において、道路Ｄ２、Ｄ３が連なっている。道路Ｄ２、Ｄ３は、往復で1車線の対面通行用とされたローカルな道路となっている。この道路Ｄ２，Ｄ３沿いの地域は、山間部にあって、周囲の殆どが山や丘となる辺鄙な地域となっている。
【００３１】
道路Ｄ２のうち、道路Ｄ１から遠く離れた位置において、複数の集落Ａ１〜Ａ３が存在している。集落Ａ１〜Ａ３は、駅Ｒａから１０km以上離れた離村となっている、道路Ｄ３は、行き止まりとなっていて、行き止まりの位置には、集落Ａ１〜Ａ３の住民等が集うイベント会場（広場）Ａ４が設けられている。
【００３２】
集落Ａ１〜Ａ３に居住する住民の総数は、数百名程度であるが、高齢者の割合が大きいものであり、自動車の運転をできない者も多数存在する状況となっている。そして、道路Ｄ２(つまり集落Ａ１〜Ａ３の住民）においては、公営バスの運行はされていないものである。
【００３３】
集落Ａ１〜Ａ３の住民の交通の便を図るために、後述するように、定時定路線運行とデマンド運行とを行うこととなっている。定時定路線運行は、定時に決まった路線を走行するものである。定時定路線運行の停留所が、Ｓ１〜Ｓ７として示される。停留所Ｓ１は、出発点となるもので、集落Ａ１の住民用である。停留所Ｓ２は、集落Ａ２の住民用である。停留所Ｓ３は、集落Ａ３の住民用である。
【００３４】
停留所Ｓ４は、道路Ｄ２がメインの道路Ｄ１と交差する位置に設定されている。停留所Ｓ５は、小学校や中学校のある位置付近に設定されている。停留所Ｓ６は、役場付近の位置に設定されている。停留所Ｓ７は、定時定路線運行の終点で、駅Ｒａ付近に設定されている。このように、定時定路線運行の路線は、停留所Ｓ１から、Ｓ２、Ｓ３、Ｓ４、Ｓ５、Ｓ６を経て、終点のＳ７へ到達する経路とされる。帰りの便は、上記とは逆の経路をたどることになる。なお、定時定路線運行の運行便数は、例えば、往復共に、例えば朝２便、昼１便、夕方２便とされている。
【００３５】
定時定路線運行の変形として、臨時運行（臨時便）が適宜行われる。この臨時運行は、イベント会場Ａ４で催し物（例えば盆踊り、花火大会、芋煮会等）が開催されるときにのみ行われる。この臨時運行の経路は、停留所Ｓ１から、Ｓ２，Ｓ３，Ｓ４を経て、停留所Ｓ８へ至る経路とされる（復路はこの逆)。臨時運行は、イベント開催日に、あらかじめ設定された定時に停留所Ｓ１を出発する便とされる。
【００３６】
臨時運行を含む定時定路線運行およびデマンド運行は、住民同士の結束（協力）によって行われる。まず、運行を行う運行用車両は、集落Ａ１〜Ａ３の住民が保有する自家用車を利用する他、自治体の補助や企業からの寄付等で管理を任された専用車両が用いられる。運行用車両の台数は、少なくとも２台以上とされ、好ましくは１０台程度が用意される。
【００３７】
運行用車両の運転を行うドライバーは、集落Ａ１〜Ａ３の住民から選ばれた者とされる。ドライバ一として選択されるには、あらかじめ事前講習（例えば半日〜１日程度の講習）を受けた者であることを条件とされる。すなわち、講習内容としては、例えば、安全運転に関する知識と実技の講習、乗客（特に高齢者や幼児）に対する運行用車両への乗り降りの補助の仕方に関する講習、ドライバーに要求される運行管理に関する知識ややり方等についての講習等がある。講習を修了したドライバーは、運行用車両の運転者として、登録（氏名、住所、年齢、性別、電話番号、運転する運行用車両の種別等の登録）される。
【００３８】
図２は、デマンド運行が行われた場合の一例を示すものである。図２中Ｐ１は、デマンド運行を乗車予約した乗客であり、Ｐ２、Ｐ３は、この乗車予約されたデマンド運行（の運行用車両）に相乗りを希望した乗客である。デマンド運行は、乗客の希望に応じた出発地と目的地と経路とを自由に選択できる。図２では、乗車予約した乗客Ｐ１の自宅（付近）を出発地として、乗客Ｐ２の自宅付近、乗客Ｐ３の自宅付近を経由して、停留所Ｓ４方向に向かう場合が示される。
【００３９】
乗客Ｐ１の最寄りの停留所はＳ２であり、乗客Ｐ１の自宅から停留所Ｓ２までの徒歩での移動経路α１が破線で示される。同様に、乗客Ｐ２の最寄りの停留所はＳ３であり、乗客Ｐ２の自宅から停留所Ｓ３までの徒歩での移動経路α２が破線で示される。乗客Ｐ３の最寄りの停留所もＳ３であり、乗客Ｐ３の自宅から停留所Ｓ３までの徒歩での移動経路α３が破線で示される。
【００４０】
乗客Ｐ１〜Ｐ３にとって、最寄りの停留所までの移動時間あるいは移動距離が長い場合は、停留所までの歩行が大変となる。このため、停留所までの歩行を避けるために、デマンド運行を要求する可能性（必要性）が高いものとなる。デマンド運行を利用するときの料金は、定時定路線運行を利用するときの料金よりも割高となるが、停留所までの移動時間や移動距離を考慮して、定時定路線運行を利用するか、デマンド運行を利用するか判断されることになる。
【００４１】
ここで、定時定路線運行あるいはデマンド運行を利用するときの料金体系の一例について説明する。まず、定時定路線運行を利用するときは、利用距離に応じた金額のみで、単位距離あたりの料金がＥ１(Ｅ１×利用距離）とされる。これに対して、デマンド運行を当初に乗車予約した乗客Ｐ１の利用料金は、利用距離に応じた金額が上記料金Ｅ１よりも若干割高な料金Ｅ２とされると共に、定額の基本料金ＥＢ２が別途徴収される（合計料金は、ＥＢ２＋Ｅ２×利用距離)。さらに、デマンド運行に相乗りを希望した乗客Ｐ２，Ｐ３の 利用料金は、上記Ｅ２のみとされる（基本料金ＥＢ２が不要)。このように、定時定路線運行を利用する場合がもっとも安価であり、デマンド運行を当初に乗車予約した場合の料金 がもっとも高価であり、デマンド運行に相乗りする場合の料金が中間の料金となる。勿論、上記した料金は一例であって、適宜設定できるものである。
【００４２】
上記車両の運行には、図３に示すように、自動車運行管理システム１が用いられている。その自動車運行管理システム１においては、図３で概念的に示すように、管理サイト（運行管理装置（具体的には情報処理装置としての管理サーバ））２を中心として、その管理サイト２に、管理者３、ユーザ（利用者）４、ドライバー５からなる各関係者、車両６が関わることになる。
【００４３】
運行管理サービスサイト２は、管理サーバとして、車両６の運行において中核をなすものである。この管理サイト２は、上記各関係者３〜５からの端末を通じた要求に対して、それに応じたものを返答する。その返答において、車両６の運行ルートを演算することが関係者（管理者３）に要求された場合には、管理サイト２は、ルート演算サービスサイト７にその演算を依頼し、その結果を、要求した関係者３の端末に送ることになる。
【００４４】
管理者３は、管理用端末８（管理者用情報処理装置）を介して管理サイト２との間で情報のやり取りを行うことができる。管理者３は、その管理用端末８を介して管理サイト２との間で情報のやり取りを行うことにより、車両６の運行サービス全般の管理や、車両６運行中の状況情報の把握を司ることになっており、具体的には、管理用端末８を通じて、情報の管理（利用者（ユーザ）ＩＤの登録、修正、取消、運行車両６の登録、修正、取消）、運行便の管理（運行便の作成、修正、取消、運行便の公開）、予約の管理（予約の受付、修正、取消）、運行の管理（運行状況の表示（進捗やトラブル）、運行履歴の表示、抽出）が行われる。図３には、管理用端末８と管理サイト２との間の代表的な情報のやり取りとして、管理用端末８から管理サイト２に対して各種登録情報が送られること、管理サイト２から管理用端末８に運行状況の確認情報が提供されることが示されている。また、図４には、管理用端末８が管理サイト２から管理情報（運行管理情報、ドライバー管理情報、車両管理情報、ユーザ管理情報、運行状況情報）を受け取って、その閲覧に基づき管理できることが示されている。この管理者は、例えば役場の職員や、集落Ａ１〜Ａ３の住民の中から推薦等によって選ばれた者等、地域事情、地域の居住者状況等を通常の住人よりもよく知っている者が担当している。
【００４５】
この場合、一般的にＩＴリテラシーが低いユーザ（特に高齢者）４Ｓを考慮して、管理者３は、電話１２、書面、直接的な口頭伝達等を通じて、そのようなユーザ４Ｓから利用者登録、車両６の乗車予約等の依頼を受け付けた場合には、そのような依頼に基づき、管理者３は、その依頼に基づく手続きを管理用端末８を通じて管理サイト２に対して行う。
【００４６】
ユーザ４は、ユーザ端末９（ユーザ端末）を介して管理サイト２との間で情報のやり取りを行うことができる。ユーザ４は、ユーザ端末９を介して管理サイト２との間で情報のやり取りを行うことにより、乗車予約の申請や確認、当日の車両６の運行状況の確認等を行うことができ、具体的には、ユーザ端末９を通じて、予約の申請（運行便の閲覧、乗車予約の申請、取消、予約完了通知の受領）、乗車予約の確認（乗車予約の閲覧、乗車前日の通知）、運行車両６の運行状況の把握（予約した運行便の運行状況の確認、到着予想時刻の表示、到着直前の通知）が行われる。
【００４７】
図３には、ユーザ端末９と管理サイト２との間の代表的な情報のやり取りとして、ユーザ端末９から管理サイト２に対して乗車予約申請情報が送られること、管理サイト２からユーザ端末９に乗車予約確定通知、乗車前日通知の確認情報が提供されることが示されている。また、図５には、ユーザ端末９を利用して、運行便の乗車予約を行う状態が示され、図６には、乗車予約した車両６の到着予想時刻等が送られてきた状態を示している。
【００４８】
尚、図５中、符号９Ｄａは、予約申請を行うための「予約申請表示（選択スイッチ）」であり、符号４ａは、「予約申請表示」をタッチして選択する状態のユーザ４の手を示す。
【００４９】
ドライバー５は、ドライバー端末１０（ドライバー用情報処理装置）を介して管理サイト２との間で情報のやり取りを行うことができる。ドライバー５は、ドライバー端末１０を介して管理サイト２との間で情報のやり取りを行うことにより、運転担当に関する確認を行うことができ、具体的には、ドライバー端末１０を通じて、運転担当日（シフト）の確認、運転前日の通知等が行われる（図３参照）。その具体的表示例として、図７には、ドライバー端末１０において、運転担当日（シフト）の確認情報が表示された状態が示され（●は担当日を示す）、図８には、ドライバー端末１０に、担当運転日の前日通知が届いた状態が示されている。このドライバー５については、前述の登録内容（氏名、住所、年齢、性別、電話番号、運転する運行用車両の種別等）が管理サイト２に登録（記憶）される。
【００５０】
車両６（運行車両６）には、車載端末（車両用情報処理装置、例えばタブレット端末）１１が据え付けられている。この車両６を運転するドライバー５は、車載端末１１を介して管理サイト２との間で情報のやり取りを行うことができ、ドライバー５は、このドライバー端末１０により、管理サイト２に対して運行状況の登録（出発登録、乗車完了登録、降車完了登録）、トラブル発生の登録、自車位置情報の送信等を行うことができる。
【００５１】
上記管理サイト２、管理用端末８、ユーザ端末９、ドライバー端末１０及び車載端末１１の各機能は、図９に示すシステム構成図により実現される。
【００５２】
管理サイト２には、コンピュータとしての機能を確保すべく、記憶部２Ａと、演算制御部２Ｂと、通信部２Ｃとが備えられ、管理用端末８、ユーザ端末９、ドライバー端末１０及び車載端末１１においても、同様に、それぞれ、記憶部８Ａ，９Ａ，１０Ａ，１１Ａと、演算制御部８Ｂ，９Ｂ，１０Ｂ，１１Ｂと、通信部８Ｃ，９Ｃ，１０Ｃ，１１Ｃとが備えられている。また、管理用端末８、ユーザ端末９、ドライバー端末１０及び車載端末１１には、表示部８Ｄ，９Ｄ，１０Ｄ，１１Ｄが備えられており、そのうち、表示部９Ｄ，１０Ｄ，１１Ｄは、タッチパネル（タッチ式入力装置）とされている。管理用端末８については、パーソナルコンピュータが利用されていることから、キーボード、マウス等の入力装置８Ｅが用いられている。尚、各記憶部８Ａ，９Ａ，１０Ａ，１１Ａには、必要なプログラム（アプリケーション、ソフトウェア）が格納されており、それを演算制御部８Ｂ，９Ｂ，１０Ｂ，１１Ｂが読み込むことにより、管理サイト２と管理用端末８等（ユーザ端末９、ドライバー端末１０及び車載端末１１）との間での情報のやり取りが簡単に行えることになっている。
【００５３】
より具体的には、上記管理サイト２及びユーザ端末９における各要素２Ａ〜２Ｃ、９Ａ〜９Ｄは、次のような構成とされている。
【００５４】
管理サイト２においては、通信部２Ｃが、管理用端末８、ユーザ端末９、ドライバー端末１０及び車載端末１１の各通信部８Ｃ，９Ｃ，１０Ｃ，１１Ｃとの間でそれぞれ通信可能となっており、管理サイト２は、管理用端末８、ユーザ端末９、ドライバー端末１０及び車載端末１１との間で情報のやり取りを行うことができることになっている。記憶部２Ａは、ＲＯＭ(Read Only Memory)やＲＡＭ(Random Access Memory)等の記憶素子をもって構成され、その記憶部２Ａには、必要な各種プログラムとして、新規の会員（利用者）登録、乗車予約に関するもの等が格納され、必要な情報として、会員登録に伴う会員情報とその会員情報に関連付けられた会員独自の識別表示情報、多数の異なる識別表示情報、同一車両６についての乗車予約者（会員）の予約情報、その乗車予約者状況配信情報等が記憶される。各種プログラム等は、必要に応じて、演算制御部２Bにより読み出され、また、必要な情報が記憶部２Ａに適宜、記憶される。演算制御部２Bは、ＣＰＵ(Central Processing Unit)をもって構成されており、演算制御部２Bは、記憶部２Ａから読み出されたプログラムに基づき、図１０に示すように、管理情報作成部２Ｂａ、配信情報作成部２Ｂｂとして機能する。
【００５５】
ユーザ端末９においては、記憶部９Ａには、必要なプログラム（アプリケーション、ソフトウェア）として、同一の運行車両６に対する乗車予約を行うもの等、管理サイト２との間で情報のやり取りを簡単に導くためのものが格納されている。演算制御部９Bは、演算制御部２B同様、ＣＰＵ(Central Processing Unit)をもって構成されており、演算制御部９Bは、記憶部９Ａから読み出されたプログラムの下で、管理サイト２に対して所定の送信、受信制御を行う。
【００５６】
上記自動車運行管理システム１においては、会員登録がなされた後に、ユーザ４が、運行車両６についての乗車予約の申請、その運行車両６（同一車両）の乗車予約者状況について閲覧請求を行うことができ、管理サイト２は、その乗車予約の申請、乗車予約者状況の閲覧請求に対して、それに応じた情報をユーザ端末９に送ることになっている。
【００５７】
この場合、ユーザ４による乗車予約者状況の閲覧請求に対して、管理サイト２は、図形、記号及び文字の少なくとも一つを含んで構成されている識別表示だけを送ることになっており、本実施形態においては、その識別表示は、会員登録時に、その会員登録者に管理サイト２により付与されることになっている。その識別表示としては、乗車予約者の個人情報に関係せず且つ少なくともその乗車予約者により自己の特定に係るものとして認識されているもの(付与時に管理サイト２が提示)が用いられることになっており、図１１に示すように、管理用端末８では、同一運行車両６についての乗車予約者２１の名前２１ａが表示されるのに対して（例えば[田中太郎]「「山田一郎」等」）、乗車予約者状況の閲覧請求をしたユーザ端末９においては、その各乗車予約者２１に対応した識別表示２２（「田中太郎]「「山田一郎」等に対応する識別表示２２」」だけが表示されることになる。
【００５８】
これにより、仲間の識別表示２２の存在を確認したときには、仲間の乗車予定を知ることができ、その仲間との交流を深めるために同一の車両６への自律的な乗り合いが促される。この場合、乗車予約者自身が、自己の特定に係る識別表示２２について、知り合い関係にある者、親しい関係にある者等（仲間）、不都合な関係にある者以外の者に知らせる傾向にあり、また、仲間から仲間への伝達によっても、その識別表示２２が誰を特定するものであるかが知られる傾向にあることが、識別表示２２が仲間内に知られることに利用される。
【００５９】
他方、識別表示２２が乗車予約者の個人情報に関係しないものであることから、乗車予定者が、基本的に、識別表示２２が自己を特定するものであることを第三者に話さない限り、その識別表示２２が誰を特定しているかは誰にも知られない。このため、当該運行車両６を利用することも、運行車両６を利用することにより自宅を留守にすることも、知られることはない。このため、個人情報を基本的に保護することができる。
【００６０】
またこの場合、ユーザ端末９には、図１１に示すように、上記識別表示２２の一覧と同じページにおいて、選択スイッチとして、乗車予約を行うための「予約」表示９Ｅ１、乗車予約を取消すための「取消」表示９Ｅ２、制御処理を終了するための「終了」表示が表示されている。これにより、識別表示２２の一覧を見ながら、直ちに、乗車予約等の次の手続きに移ることができることになる。
【００６１】
上記制御概要の具体的制御例を、図１２〜図１７に示すフローチャートを参照しつつ説明する。図１２〜図１７において、符号Ｒ，Ｔ，Ｕ，Ｑはステップを示す。
【００６２】
（１）この自動車運行管理システム１においては、ユーザ４（ユーザ端末９）が会員登録（利用者登録）されて、その会員情報が管理サイト２の記憶部２Ａに記憶される必要がある。このため、会員登録を希望する希望者の手続きに対して管理サイト２は、図１２に示すフローチャートに示す制御例を実施する。
【００６３】
管理サイト２は、会員未登録者が会員になることを考慮しており、管理サイト２に会員未登録者がアクセスした際には、そのアクセス画面に表示される「会員登録申請表示（選択スイッチ）」（図示略）を利用して、会員未登録者が会員登録申請書を要求しているか否かを判別し、その要求があると判断したときには、その会員未登録者に会員登録申請書表示を配信する（Ｒ１，Ｒ２）。
【００６４】
次のＲ３においては、会員登録申請書表示に所定事項が会員未登録者により記入され、それが送り返されてきたか否かを判別し、その返信（承諾表示スイッチの選択）をもって会員登録申請があったと判断する。このＲ３の判別により会員登録申請がなされたと判断したときには、管理サイト２は、その際の会員情報（会員登録情報）と、その会員特有の識別表示２２とを、互いに関連付けた状態で記憶部２Ａに記憶する（Ｒ３，Ｒ４）。識別表示２２は、会員を特定する独自のものであって、その会員の個人情報とは無関係のものであり、この識別表示２２は、管理サイト２により、保有する多くの異なる識別表示２２の中からその一つが発行される（図１１参照）。またこれに伴い、会員登録者となった者（ユーザ）の端末（ユーザ端末９）に会員登録の完了通知がなされると共に、識別表示２２が、その会員登録者となった者（ユーザ４、ユーザ端末９）に知らしめるべく送信される（Ｒ５）。尚、会員ＩＤ、パスワード等については、会員登録後、別途、書面により会員登録者に送られる。
【００６５】
この会員登録については、高齢のユーザ４Ｓを考慮し、紙の会員登録申請書を管理者３に提出し、管理者３が、そのユーザ４Ｓに代わって、管理用端末８により会員登録申請を行うこともできることになっている。このとき、当該ユーザ４の会員登録完了通知及び識別表示２２が管理用端末８に送られることになるが、その情報は、管理者３が書面をもって当該ユーザ４Ｓに知らせることになる。
【００６６】
（２）会員登録がなされると、以後、ユーザ４（会員）は、図１３に示すように、運行車両の乗車予約申請を行うことができ、そのユーザ４による乗車予約申請に対して、管理サイト２は、次のように動作する。すなわち、管理サイト２は、ユーザ４による乗車予約の申請を待ち、乗車予約の申請があると、ユーザ４が会員であることが認められることを前提に（会員ＩＤ,パスワード等の確認）、乗車の予約申請内容を読み込む（Ｔ１，Ｔ２）。
【００６７】
予約申請内容を管理サイト２が読み込むと、管理サイト２は、その内容と、管理サイト２の記憶部２Ａに記憶された会員情報とを比較し、ユーザ４の会員情報及び識別表示２２を特定する（Ｔ３）。そして、管理サイト２は、その管理情報作成部２Ｂａ（演算制御部２Ｂ）が予約申請内容を管理情報として記憶部２Ａに記憶させる一方（Ｔ４）、その配信情報作成部２Ｂｂ（演算制御部２Ｂ）が、その記憶部２Ａからユーザ４（会員）の識別表示２２引き出して、それを予約者状況配信情報として記憶部２Ａに記憶させる（Ｔ５）。これに対して、ユーザ４の会員情報等を特定することができないときには（Ｔ３がＮＯ）、この予約申請に関する乗車予約申請に関する制御は終了する。
【００６８】
勿論この場合も、高齢のユーザ４を考慮し、管理者３に、電話１２、書面により乗車予約申請を行うことができることになっており、その場合には、その内容を管理者３が管理サイト２に管理用端末８を介して手続きをすることになる。
【００６９】
（３）同一の運行車両６に関して乗車予約がなされている下では、図１４、図１５に示すように、会員としてのユーザ４（ユーザ端末９）は、その同一運行車両６における予約者状況を閲覧することができる。具体的には、ユーザ端末９に導入設定されているアプリケーション（アプリ）が起動されると、そのアプリに基づきユーザ端末４は管理サイト２へアクセスし、そのユーザ端末４には、会員ＩＤ、パスワード等の入力情報等を要求する入力画面が表示される（Ｕ１〜Ｕ３）。
【００７０】
ユーザ端末９に表示される入力画面に対して会員ＩＤ，パスワード等の入力情報を入力し、自分自身（ユーザ４）が会員であることを特定すると、ユーザ端末９には、メニュ画面が表示される（Ｕ４〜Ｕ６）。メニュ画面には、運行予定状況の欄があり、それを選択（要求）すると、その各運行車両６の運行予定状況（リスト）がユーザ端末４に表示される（Ｕ７、Ｕ８）。さらにこの運行予定状況のうち、特定の運行便を選択すると、その特定された同一の運行車両６について、乗車予約を行った乗車予約者全員の識別表示２２の一覧（予約者状況配信情報）がユーザ端末９に表示される。このとき、各乗車予約者２１の名前２１ａはユーザ端末９には表示されない（Ｕ９、Ｕ１０、図１１参照）。
【００７１】
次のＵ１１においては、ユーザ４が、ユーザ端末９に表示される「終了」表示９Ｅ３の選択によりアプリの作動を終了することを選択したか否かが判別される。上記識別表示２２の一覧をユーザ４が見て、乗車予約者に興味がないとき又はわからないとき等を考慮したためである。ユーザ４がアプリの作動を終了することを選択したときには（Ｕ１１がＹＥＳ）、この乗車予約者状況の閲覧制御が終了される一方、ユーザ４がアプリの作動を終了することを選択しないときには（Ｕ１１がＮＯ）、ユーザ４は、「予約」表示９Ｅ１により乗車予約を選択することができる。識別表示２２の一覧を見ることにより乗車予約者に関心を抱いたユーザ４が、直ちに乗車予約手続きをすることができるようにするためである。このため、ユーザ４が乗車予約を選択したときには（Ｕ１２がＹＥＳ）、ユーザ４は、入力済み予約申請書表示（全てが自動的に記入されてその返信（承諾表示スイッチの選択）により乗車予約を行ったとするもの）が送られてくることを待ち、それを受け取ったときには、その返信（送信）により乗車予約の最終的選択を行うことができる（Ｕ１３、Ｕ１４）。この場合、その返信による乗車予約の最終的選択を行わない間は、乗車予約のキャンセルを行わない限り、そのユーザ４による選択を待ち続けることになる。ユーザ４が、返信による乗車予約の最終的選択を行ったときには、管理サイト２から乗車予約の完了通知を受け取り（Ｕ１６）、その後、ユーザ端末９のアプリを終了させない限り、所定時間経過後に、その乗車予約が反映された識別表示２２の一覧ページに戻ることになる（Ｕ１７、Ｕ１８、Ｕ１０）。
【００７２】
前記予約申請書表示がユーザ端末９に送られてこないときは（Ｕ１３がＮＯ）、乗車予約条件を満たさないときであり（乗車満員又は予約済み）、そのときには、ユーザ端末９は、乗車予約の不可表示を受け取り（Ｕ１９）、その後、前記Ｕ１７に進む。
【００７３】
前記Ｕ１２において、ユーザ４が乗車予約もしないときには、Ｕ２０において、ユーザ４が乗車予約の取消を選択したか否かが判別される。識別表示２２の一覧を見て、既になされている乗車予約を取消す場合を考慮したためである。このため、乗車予約の取消を選択しない場合には、前記Ｕ１０の識別表示２２の一覧ページに戻される一方、ユーザ４が乗車予約の取消を選択した場合には、入力済み予約取消確認画面（全てが自動的に記入されてその返信（承諾表示スイッチの選択）により乗車予約取消を行ったとするもの）が送られてくることを待ち（Ｕ２０、Ｕ１０、Ｕ２１）、その予約取消確認画面を受け取ったときには、その返信（送信）により乗車予約取消の最終的選択を行うことができる（Ｕ２２）。この場合、その返信による乗車予約取消の最終的選択を行わない間は、その乗車予約取消のキャンセルを行わない限り、そのユーザ４による選択を待ち続けることになる。ユーザ４が、返信による乗車予約取消の最終的選択を行ったときには、管理サイト２から乗車予約取消の完了通知を受け取り（Ｕ２４）、その後、ユーザ端末９のアプリを終了させない限り、所定時間経過後に、その乗車予約取消が反映された識別表示２２の一覧ページに戻ることになる（Ｕ１７、Ｕ１８、Ｕ１０）。
【００７４】
前記乗車予約取消確認画面が送られてこない場合には（Ｕ２１がＮＯ）、乗車予約取消の不可表示が管理サイト２からユーザ端末９に送られてくる（Ｕ２５）。このときは、乗車予約取消が不可な状態（未予約）にあるからである。この後、前記Ｕ１７に進むことになる。
【００７５】
（４）上記ユーザ端末９における動作に対して、管理サイト２は、図１６、図１７に示すように、対応した動作を行う。
【００７６】
管理サイト２は、ユーザ端末４からアクセスがあると、そのユーザ端末４に、会員ＩＤ、パスワード等の入力情報等を要求する入力画面を送信（入力情報要求）する（Ｑ１、Ｑ２）。その入力画面に入力されたものがユーザ端末９から返信されると、そのユーザ端末４による入力情報を読み込み、そのユーザ４が会員であることを特定する（Ｑ４，Ｑ５）。
【００７７】
ユーザ４が会員であることを特定すると、メニュ画面をユーザ端末９に送信し（Ｑ６）、その中の運行予定状況情報の要求をユーザ端末９から待ち、その要求があると、運行予定状況情報(リスト)をユーザ端末９に送信する（Ｑ７，Ｑ８）。次いで、その運行予定状況情報の中の特定運行便情報について、ユーザ端末９からの要求を待ち（Ｑ９，Ｑ１０）、その要求があったときには、管理サイト２の通信部（配信部）２Ｃが、その特定運行便における予約者状況を示す予約者状況配信情報をユーザ端末９に送信する（Ｑ１１）。この予約者状況配信情報は、前述したとおり(図１１参照)、識別表示２２の一覧だけからなり、その識別表示２２により、乗車予約者の個別情報を保護しつつ、同一運行車両６への同乗（乗合）を促すことができることになる。
【００７８】
予約者状況配信情報をユーザ端末９に送信した後は、Ｑ１２において、同じ表示ページに表示される「予約」表示９Ｅ１により乗車予約申請が行われたか否かを判別する。そして、乗車予約申請が行われたと判断したときには、乗車予約条件（乗車人数が満員になっておらず且つ未予約）を満たすことを条件に、当該運行車両６についての予約申請書（全てが自動的に記入されてその返信（承諾表示スイッチの選択）により乗車予約を行ったとするもの）をユーザ端末９に送信し（Ｑ１３、Ｑ１４）、その返信（申請確定）を待ち（Ｑ１５，Ｑ１６）、その返信がきたときには、乗車予約の完了通知をユーザ端末４に送信する（Ｑ１７）。他方、前述のＱ１３がＮＯとされて、乗車予約条件を満たさないと判断したときには、当該運行車両６についての乗車予約不可表示をユーザ端末４に送信し、乗車予約者状況の閲覧制御を終了する（Ｑ１３，Ｑ１８）。
【００７９】
Ｑ１２において、ユーザ４が乗車予約申請をしないときには、Ｑ１９において、ユーザ４が乗車予約の取消申請を選択したか否かを判別する。このため、ユーザ４が乗車予約の取消申請を選択しないと判断したときには、前記Ｑ１２の識別表示２２の一覧ページに戻される一方、ユーザ４が乗車予約の取消申請を選択したと判断したときには、ユーザ４が予約済みであることを確認した上で（Ｑ２０）、入力済み予約取消確認画面（全てが自動的に記入されてその返信（承諾表示スイッチの選択）により乗車予約取消を行ったとするもの）を送信する（Ｑ２１）。そのユーザ４からの返信を待ち（Ｑ２２，Ｑ２３）、その予約取消確認画面を受け取ったときには、その返信（承諾表示を選択）をもって乗車予約取消の最終的選択が行われたと判断し、乗車予約の取消完了通知をユーザ端末９に送信する（Ｑ２４）。他方、前記Ｑ２０がＮＯと判断したときには、乗車予約自体を行っていないことから、ユーザ端末９に乗車予約取消不可表示を送信し（Ｑ２５）、乗車予約者状況の閲覧制御を終了する。
【００８０】
以上実施形態について説明したが本発明にあっては次の態様を包含する。
（１）乗車予約を行う乗車予約者に予め設定された識別表示２２については、乗車予約に先立ち、所定の手続きを経て、自己の特定に係るものとして、その識別表示２２の提示を受けると共に、その識別表示２２情報をユーザ端末９に組み込んでもらい、ユーザ端末９が管理サイト２に乗車予約のためにアクセスする度に、その管理サイト２がユーザ端末９から識別表示２２情報を引き出し、それを記憶部２Ａに予約者状況配信情報として記憶すること。
【００８１】
（２）乗車予約を行う乗車予約者に予め設定された識別表示２２については、乗車予約に先立ち、所定の手続きを経て、管理サイト２が、その乗車予約者のための識別表示２２を、その乗車予約者のユーザ端末９の識別情報と関連付けて記憶する一方、そのユーザ端末９には、管理サイト２に乗車予約のためにアクセスする度にその管理サイト２により読み取ることができる識別情報を組み込むこと。勿論この場合においても、所定の手続きを経た後、ユーザ（乗車予定者）には、自己の特定に係るものとして、識別表示２２が提示される。
【００８２】
（３）管理サイト２が提供する多数の異なる記識別表示２２の中から、ユーザ４が選択した一つを、そのユーザの識別表示２２とすること。
【産業上の利用可能性】
【００８３】
本発明は、同一運行車両において、個人情報を保護しつつ、自律的な乗り合いを促進するために利用できる。
【符号の説明】
【００８４】
１  自動車運行管理システム
２  管理サイト（運行管理装置）
２Ａ  管理サイトの記憶部
２Ｂ  管理サイトの演算制御部（配信部、配信情報作成部）
２Ｂｂ  配信情報作成部（演算制御部）
２Ｃ  通信部（配信部）
４  ユーザ
６  運行車両（自動車）
９  ユーザ端末
９Ｄ  ユーザ端末の表示部
９Ｅ１  予約表示（乗車予約表示）
２１ａ  乗車予約者の名前
２２  識別表示
【図１】
2020052924.tif 000003
【図２】
2020052924.tif 000004
【図３】
2020052924.tif 000005
【図４】
2020052924.tif 000006
【図５】
2020052924.tif 000007
【図６】
2020052924.tif 000008
【図７】
2020052924.tif 000009
【図８】
2020052924.tif 000010
【図９】
2020052924.tif 000011
【図１０】
2020052924.tif 000012
【図１１】
2020052924.tif 000013
【図１２】
2020052924.tif 000014
【図１３】
2020052924.tif 000015
【図１４】
2020052924.tif 000016
【図１５】
2020052924.tif 000017
【図１６】
2020052924.tif 000018
【図１７】
2020052924.tif 000019